【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
連写撮影が可能な撮像装置であって、
シャッター羽根を駆動するシャッター駆動部材と、
前記シャッター駆動部材を付勢するシャッターばねと、
前記シャッターばねをチャージする手段であって、前記シャッターばねのチャージが完了したのち、前記シャッターばねをチャージした状態で前記シャッター駆動部材を保持するチャージ状態と、前記シャッター駆動部材が保持されない走行準備状態に切り替わるシャッターチャージ手段と、
前記シャッターチャージ手段を駆動する駆動手段と、
前記シャッターチャージ手段が前記走行準備状態となるときに、前記シャッター駆動部材を前記シャッターばねがチャージされた状態で保持する保持手段と、
前記撮像装置が連写中であるかどうかを判定する判定手段と、
前記判定手段によって、前記撮像装置が連写中であると判定される場合には、前記シャッターばねのチャージが完了したのち、前記シャッターチャージ手段を前記チャージ状態で停止させることなく、前記走行準備状態まで駆動するように、前記駆動手段を制御する制御手段と、を有することを特徴とする撮像装置。
【請求項２】
前記制御手段は、前記判定手段によって、前記撮像装置が連写中でないと判定される場合には、前記シャッターばねのチャージが完了したのち、前記シャッターチャージ手段を前記チャージ状態で停止させるように、前記駆動手段を制御することを特徴とする請求項１に記載の撮像装置。
【請求項３】
撮像動作の開始を指示するスイッチがオンされている間は撮影動作を連続的に行う連写モードを備えた撮像装置であって、
シャッター羽根を駆動するシャッター駆動部材と、
前記シャッター駆動部材を付勢するシャッターばねと、
前記シャッターばねをチャージする手段であって、前記シャッターばねのチャージが完了したのち、前記シャッターばねをチャージした状態で前記シャッター駆動部材を保持するチャージ状態と、前記シャッター駆動部材が保持されない走行準備状態に切り替わるシャッターチャージ手段と、
前記シャッターチャージ手段を駆動する駆動手段と、
前記シャッターチャージ手段が前記走行準備状態となるときに、前記シャッター駆動部材を前記シャッターばねがチャージされた状態で保持する保持手段と、
前記連写モードが設定されているかどうかを判定する第１の判定手段と、
前記スイッチがオンされているかどうかを判定する第２の判定手段と、
前記第１の判定手段によって、前記連写モードが設定されていると判定され、前記第２の判定手段によって前記スイッチがオンされていると判定される場合には、前記シャッターばねのチャージが完了したのち、前記シャッターチャージ手段を前記チャージ状態で停止させることなく、前記走行準備状態まで駆動するように、前記駆動手段を制御する制御手段と、を有することを特徴とする撮像装置。
【請求項４】
前記制御手段は、前記第１の判定手段によって、前記連写モードが設定されていないと判定される場合には、前記シャッターばねのチャージが完了したのち、前記シャッターチャージ手段を前記チャージ状態で停止させるように、前記駆動手段を制御することを特徴とする請求項３に記載の撮像装置。
【請求項５】
前記制御手段は、前記第１の判定手段によって、前記連写モードが設定されていると判定され、前記第２の判定手段によって、前記スイッチがオンされていないと判定される場合には、前記シャッターばねのチャージが完了したのち、前記シャッターチャージ手段を前記チャージ状態で停止させるように、前記駆動手段を制御することを特徴とする請求項３に記載の撮像装置。
【請求項６】
前記制御手段は、前記シャッターチャージ手段を前記チャージ状態で停止させるように、前記駆動手段を制御したのち、前記第２の判定手段によって前記スイッチがオンされていると判定されたときに、前記シャッターチャージ手段を前記チャージ状態から前記走行準備状態まで駆動するように、前記駆動手段を制御することを特徴とする請求項４または５に記載の撮像装置。
【請求項７】
前記シャッターチャージ手段が前記チャージ状態となったことを検出する検出手段を更に有し、
前記検出手段によって前記シャッターチャージ手段が前記チャージ状態となったことを検出したときに、前記第２の判定手段は前記スイッチがオンされているかどうかを判定することを特徴とする請求項３乃至６のいずれか１項に記載の撮像装置。
【請求項８】
シャッター羽根を駆動するシャッター駆動部材と、
前記シャッター駆動部材を付勢するシャッターばねと、
前記シャッターばねをチャージする手段であって、前記シャッターばねのチャージが完了したのち、前記シャッターばねをチャージした状態で前記シャッター駆動部材を保持するチャージ状態と、前記シャッター駆動部材が保持されない走行準備状態に切り替わるシャッターチャージ手段と、
前記シャッターチャージ手段を駆動する駆動手段と、
前記シャッターチャージ手段が前記走行準備状態となるときに、前記シャッター駆動部材を前記シャッターばねがチャージされた状態で保持する保持手段と、を有する撮像装置の制御方法であって、
前記撮像装置が連写中であるかどうかを判定する判定ステップと、
前記判定ステップによって、前記撮像装置が連写中であると判定される場合には、前記シャッターばねのチャージが完了したのち、前記シャッターチャージ手段を前記チャージ状態で停止させることなく、前記走行準備状態まで駆動するように、前記駆動手段を制御する制御ステップと、を有することを特徴とする撮像装置の制御方法。
【請求項９】
前記制御ステップでは、前記判定ステップによって、撮像装置が連写中でないと判定される場合には、前記シャッターばねのチャージが完了したのち、前記シャッターチャージ手段を前記チャージ状態で停止させるように、前記駆動手段を制御することを特徴とする請求項８に記載の撮像装置の制御方法。
【請求項１０】
シャッター羽根を駆動するシャッター駆動部材と、
前記シャッター駆動部材を付勢するシャッターばねと、
前記シャッターばねをチャージする手段であって、前記シャッターばねのチャージが完了したのち、前記シャッターばねをチャージした状態で前記シャッター駆動部材を保持するチャージ状態と、前記シャッター駆動部材が保持されない走行準備状態に切り替わるシャッターチャージ手段と、
前記シャッターチャージ手段を駆動する駆動手段と、
前記シャッターチャージ手段が前記走行準備状態となるときに、前記シャッター駆動部材を前記シャッターばねがチャージされた状態で保持する保持手段と、を有する撮像装置の制御方法であって、
撮像動作の開始を指示するスイッチがオンされている間は撮影動作を連続的に行う連写モードが設定されているかどうかを判定する第１の判定ステップと、
前記スイッチがオンされているかどうかを判定する第２の判定ステップと、
前記第１の判定ステップによって、前記連写モードが設定されていると判定され、前記第２の判定ステップによって前記スイッチがオンされていると判定される場合には、前記シャッターばねのチャージが完了したのち、前記シャッターチャージ手段を前記チャージ状態で停止させることなく、前記走行準備状態まで駆動するように、前記駆動手段を制御する制御ステップと、を有することを特徴とする撮像装置の制御方法。
【請求項１１】
前記制御ステップでは、前記第１の判定ステップによって、前記連写モードが設定されていないと判定される場合には、前記シャッターばねのチャージが完了したのち、前記シャッターチャージ手段を前記チャージ状態で停止させるように、前記駆動手段を制御することを特徴とする請求項１０に記載の撮像装置の制御方法。
【請求項１２】
前記制御ステップでは、前記第１の判定ステップによって、前記連写モードが設定されていると判定され、前記第２の判定ステップによって、前記スイッチがオンされていないと判定される場合には、前記シャッターばねのチャージが完了したのち、前記シャッターチャージ手段を前記チャージ状態で停止させるように、前記駆動手段を制御することを特徴とする請求項１０に記載の撮像装置の制御方法。
【請求項１３】
前記制御ステップでは、前記シャッターチャージ手段を前記チャージ状態で停止させるように、前記駆動手段を制御したのち、前記第２の判定ステップによって前記スイッチがオンされていると判定されたときに、前記シャッターチャージ手段を前記チャージ状態から前記走行準備状態まで駆動するように、前記駆動手段を制御することを特徴とする請求項１１または１２に記載の撮像装置の制御方法。
【請求項１４】
前記シャッターチャージ手段が前記チャージ状態となったことを検出する検出ステップを更に有し、
前記検出ステップによって前記シャッターチャージ手段が前記チャージ状態となったことを検出したときに、前記第２の判定ステップでは前記スイッチがオンされているかどうかを判定することを特徴とする請求項１０乃至１３のいずれか１項に記載の撮像装置の制御方法。
【手続補正２】
【補正対象書類名】明細書
【補正対象項目名】発明の名称
【補正方法】変更
【補正の内容】
【発明の名称】撮像装置およびその制御方法
【手続補正３】
【補正対象書類名】明細書
【補正対象項目名】０００８
【補正方法】変更
【補正の内容】
【０００８】
上記課題を解決し、目的を達成するために、本発明の撮像装置は、連写撮影が可能な撮像装置であって、シャッター羽根を駆動するシャッター駆動部材と、前記シャッター駆動部材を付勢するシャッターばねと、前記シャッターばねをチャージする手段であって、前記シャッターばねのチャージが完了したのち、前記シャッターばねをチャージした状態で前記シャッター駆動部材を保持するチャージ状態と、前記シャッター駆動部材が保持されない走行準備状態に切り替わるシャッターチャージ手段と、前記シャッターチャージ手段を駆動する駆動手段と、前記シャッターチャージ手段が前記走行準備状態となるときに、前記シャッター駆動部材を前記シャッターばねがチャージされた状態で保持する保持手段と、前記撮像装置が連写中であるかどうかを判定する判定手段と、前記判定手段によって、前記撮像装置が連写中であると判定される場合には、前記シャッターばねのチャージが完了したのち、前記シャッターチャージ手段を前記チャージ状態で停止させることなく、前記走行準備状態まで駆動するように、前記駆動手段を制御する制御手段と、を有する。
【手続補正４】
【補正対象書類名】図面
【補正対象項目名】図１
【補正方法】変更
【補正の内容】
【図１】
2011053375.tif 000001
【手続補正５】
【補正対象書類名】図面
【補正対象項目名】図２
【補正方法】変更
【補正の内容】
【図２】
2011053375.tif 000002
【手続補正６】
【補正対象書類名】図面
【補正対象項目名】図１０
【補正方法】変更
【補正の内容】
【図１０】
2011053375.tif 000003
【手続補正７】
【補正対象書類名】図面
【補正対象項目名】図１４
【補正方法】変更
【補正の内容】
【図１４】
2011053375.tif 000004